(57)【要約】【課題】録画予約時に番組の記録可否を判定できる記録予約システムを提供する。【解決手段】データを記録する記録部に番組を記録するＨＤＤレコーダ１として、記録パラメータを管理するコンテンツ管理部１６ａを備え、ＨＤＤレコーダ１の予約設定を行うことが可能なリモートコントロール装置２を用意する。そして、コンテンツ管理部１６ａより記録パラメータを取得するパラメータ取得部２３ａと、番組情報を取得する番組情報取得部２３ｃとを備えて、放送番組ごとの記録パラメータから、番組情報で示された番組の記録に必要な必要記録容量を算出し、記録部で用意された記録モード毎の平均記録ビットレートと放送時間の長さと記録部の残記録可能容量を基に、番組情報で示された放送番組の記録可否を判定して、その判定した各番組ごとの記録の可否を前記番組情報による番組表に表示する。【選択図】図２
2007124534.tif 000002
【特許請求の範囲】
【請求項１】
放送番組を記録する記録部を備えた記録装置と、前記記録装置の記録予約を行うリモートコントロール装置とで構成された番組予約システムにおいて、
用意された記録モードごとの平均記録ビットレート及び前記記録部の残記録可能容量を記録パラメータとして管理するコンテンツ管理部を備え、
放送番組の放送予定日時を番組情報として取得して、放送番組ごとの記録パラメータから、前記番組情報で示された番組の記録に必要な必要記録容量を算出し、前記記録部で用意された記録モード毎の平均記録ビットレートと放送時間の長さと前記記録部の残記録可能容量を基に、前記番組情報で示された放送番組の記録可否を判定して、その判定した各番組ごとの記録の可否を前記番組情報による番組表に表示することを特徴とする
番組予約システム。
【請求項２】
請求項１記載の番組予約システムにおいて、
前記記録部に予約登録されている放送番組の録画予約情報を予約リストとして管理する予約リスト管理部を備え、
前記予約リスト管理部より前記予約リストを取得して、前記予約リストに既に予約登録されている番組ごとの前記記録パラメータから、全ての前記予約登録番組の記録実行に必要な予約済み必要記録容量を算出し、前記番組表として表示された放送番組ごとの記録に必要な番組必要記録容量と、前記記録部の前記残記録可能容量から前記予約済み必要記録容量を減じた未予約残記録可能容量とから、前記番組情報の番組ごとに記録可否を判定することを特徴とする
番組予約システム。
【請求項３】
請求項２記載の番組予約システムにおいて、
前記記録可否の判定結果より、記録可能な記録モードがある場合、用意された記録モードの中で最も高品質となる記録モードを前記放送する番組ごとに前記番組表に表示し、記録可能な記録モードがない場合、記録不可であることを前記放送する番組ごとに前記番組表に表示することを特徴とする
番組予約システム。
【請求項４】
請求項２記載の番組予約システムにおいて、
前記記録パラメータは、同時間帯で記録可能な同時記録可能数を含み、
前記記録可否判定部は前記予約リストより、前記予約登録されている番組の放送予定日時において、前記同時記録可能数の制限から同時間帯の追加予約登録が行えない場合、前記予約登録されている番組の放送予定日時に重なる番組について予約登録が行えない事、または予約登録を行っても番組の全てが記録出来ない事を前記放送番組ごとに前記番組表に表示することを特徴とする
番組予約システム。
【請求項５】
請求項３記載の番組予約システムにおいて、
前記記録可否判定部で判定した結果を前記放送番組ごとに色分けして前記番組表に表示することを特徴とする
番組予約システム。
【請求項６】
請求項３記載の番組予約システムにおいて、
前記記録可否判定部で判定した結果を前記放送番組ごとに所定の識別子を付与して前記番組表に表示することを特徴とする
番組予約システム。
【請求項７】
記録モードごとの平均記録ビットレート及び記録部の残記録可能容量を記録パラメータとしてコンテンツ管理部で管理し、放送番組を記録部に記録する記録装置に対して、予約設定を行うことが可能なリモートコントロール装置において、
前記記録装置のコンテンツ管理部より記録パラメータを取得するパラメータ取得部と、
放送番組の放送予定日時を番組情報として取得する番組情報取得部と、
前記放送番組ごとの記録パラメータから、前記番組情報で示された番組の記録に必要な必要記録容量を算出し、前記記録部で用意された記録モード毎の平均記録ビットレートと放送時間の長さと前記記録部の残記録可能容量を基に、前記番組情報で示された放送番組の記録可否を判定する記録可否判定部と、
その判定した各番組ごとの記録の可否を前記番組情報による番組表に表示する表示部とを備えることを特徴とする
リモートコントロール装置。
【発明の詳細な説明】
【技術分野】
【０００１】
本発明は、放送番組の記録の予約を行う番組予約システム、及びその番組予約を行うリモートコントロール装置に関する。
【背景技術】
【０００２】
近年、情報化技術の進展に伴い、家庭内の複数の電子機器をＬＡＮ（Local Area Network）等のネットワークで相互接続し、電子機器間で情報を共有、制御する技術が用いられるようになってきた。
【０００３】
テレビジョン放送を記録可能な記録装置として、大容量の記録媒体であるＨＤＤ（Hard Disk Drive）レコーダが実用化されている。ＨＤＤレコーダの記録容量は数百ギガバイトにも達するため、番組を長時間で録画することが可能である。また、ランダムでの検索性能も優れているため、広く家庭内に普及し始めている。
【０００４】
そして、ネットワーク接続されたＨＤＤレコーダは、電子番組表（ＥＰＧ：Electric Program Guide）を受信しており、電子番組表から得られた番組情報から、番組の放送局、放送時間、内容の抜粋等をＨＤＤレコーダに接続したテレビジョン受像機の画面上に表示させることができる。ユーザは、表示させた番組表から番組を選択する事で、テレビジョン受像機に内蔵または外部接続されたＨＤＤレコーダ等の記録装置に録画や録音の予約を行うことができるシステムが提供されている。このように電子番組表を用いることで、複雑な操作を行うことなく簡単に番組の録画予約が行えるようになった。
【０００５】
特許文献１には、所望のチャンネルの映像信号・音声信号の情報を提供する装置についての記載がある。
【０００６】
特許文献２には、送信されてくる所望の映像信号の情報を映像信号が受信される前に取得し、事前の録画可否検出、事前の番組表のプロファイルとレベル情報による識別を可能とする装置についての記載がある。
【０００７】
特許文献３には、ネットワーク接続された録画予約機能を備えた情報処理装置間の動作を連携させて、予約記録の設定操作を行うための技術についての記載がある。
【０００８】
特許文献４には、２以上の情報処理装置間における動作をホームネットワーク経由で好適に連携させることにより、別々の場所に設定されている各機器における録画予約操作を行うための技術についての記載がある。
【特許文献１】特開平１１−１３６６４６号公報（図２）
【特許文献２】特開２００４−１２９２８９号公報（図１）
【特許文献３】特開２００５−２４４３７２号公報（図１）
【特許文献４】特開２００５−２４４５７６号公報（図１）
【発明の開示】
【発明が解決しようとする課題】
【０００９】
上述したＨＤＤレコーダにおいては、従来は指定した番組を記録可能なのか番組表を見た時点で判断が出来なかった。つまり、番組を選択後の番組予約操作を行った後に記録装置から返されるエラー情報によって予約が出来ない事が判明したり、実際に記録を行う時間になってから初めて記録装置がエラーになり、記録できない事が判明したりすることがあり、重要な予約が実行出来ないことがあった。
【００１０】
このような事態に対応するため、デジタル放送のサービス・インフォメーション情報を用いて録画予約を行うシステムが提案されている。サービス・インフォメーション情報とは、番組名や番組表を含む情報であり、各番組の映像・音声信号の圧縮関連情報が送出されている。テレビジョン受像機側で圧縮関連情報の種類に応じて番組表における各番組名欄を番組毎に色分けしたり、マークで識別し、さらに圧縮関連情報を基に記録装置の録画可否を判定するシステムが提案されていた。
【００１１】
しかし、サービス・インフォメーション情報を用いて録画予約を行う場合に、圧縮方式をトランスコードしてＨＤＤレコーダ等の記録装置に記録できる形式に変換するシステムでは記録の可否を判定できなかった。また、ユーザにとって番組表を見ただけでは、予約可能であるかどうか判断できなかった。さらに、記録装置の残記録容量が足りない場合の記録可否の判定についても行うことが出来なかったため、より簡単に録画予約を行う技術が望まれていた。
【００１２】
本発明はこのような状況に鑑みて成されたものであり、録画予約時に番組の記録可否を判定することを目的とする。
【課題を解決するための手段】
【００１３】
本発明は、放送番組を記録する記録部を備えた記録装置と、前記記録装置の記録予約を行うリモートコントロール装置とを用意して、用意された記録モードごとの平均記録ビットレート及び記録部の残記録可能容量を記録パラメータとして管理するコンテンツ管理部を備え、放送番組の放送予定日時を番組情報として取得して、放送番組ごとの記録パラメータから、番組情報で示された番組の記録に必要な必要記録容量を算出し、記録部で用意された記録モード毎の平均記録ビットレートと放送時間の長さと記録部の残記録可能容量を基に、番組情報で示された放送番組の記録可否を判定して、その判定した各番組ごとの記録の可否を番組情報による番組表に表示するようにしたものである。
【００１４】
このようにしたことで、記録部が対応している記録モード毎の平均ビットレートと放送時間から番組毎の必要記録容量を計算し、記録部の残記録容量と比較する事で各番組の記録可否を判定することが可能となり、その判定結果が番組表中に表示されるようになる。
【発明の効果】
【００１５】
本発明によれば、記録部が対応している記録モード毎の平均ビットレートと放送時間から番組毎の必要記録容量を計算し、記録部の残記録容量と比較する事で各番組の記録可否を判定することが可能であるため、記録部の残記録容量が少ない場合において、番組を記録可能な適切な記録モードを設定して予約することができ、記録を行っている最中に残記録容量がなくなって記録が中断してしまうことを防止できるという効果がある。
【発明を実施するための最良の形態】
【００１６】
以下、本発明の一実施の形態を、添付図面を参照して説明する。本実施の形態では、ＨＤＤレコーダとリモートコントロール装置とを相互にネットワーク接続してあり、ＥＰＧサーバから受信した番組情報と、ＨＤＤレコーダの残容量から、適切な記録モードで番組の録画予約設定を行うことができる番組予約システムを例に説明する。
【００１７】
まず、本例の番組予約システムの構成例について、図１を参照して説明する。大容量の記録媒体としてハードディスクドライブ１６を備えるＨＤＤレコーダ１と、ＨＤＤレコーダ１を遠隔制御すると共に、ＨＤＤレコーダ１の記録状況と、各予約の予約日、開始時間、終了時間、チャンネル、記録モード等で構成される予約リストを受信可能なリモートコントロール装置２が、ネットワーク回線６によりローカルネットワークを構築してあり、双方向通信可能である。また、ネットワーク回線６は、ネットワークの中継を行うルータ３を介してインターネット４に接続し、番組情報を配信するＥＰＧサーバ５から番組情報を受信するよう構成してある。このように構成したシステムを番組予約システム１００としている。ＨＤＤレコーダ１は、ネットワーク回線６を経由してリモートコントロール装置２へ録画関連情報の提供を行う機能を有しており、リモートコントロール装置２は、ＨＤＤレコーダ１から取得した録画関連情報と、ＥＰＧサーバ５から取得した番組情報を元に、各番組の録画可否や録画可能な記録モード（例えば、高画質、標準、長時間のいずれか）を番組一覧として表示することができる表示部２１を備えている。
【００１８】
ＨＤＤレコーダ１は、図示しないアンテナからテレビジョン放送電波を受信し、選局や同調操作を行うチューナ１８で希望する放送局を選局する。そして、選局した映像・音声信号をエンコード処理を施すエンコード部１９に供給する。所定の記録モードでエンコードされた映像・音声信号は、ハードディスクドライブ１６に記録される。映像・音声信号を記録する際には、ハードディスクドライブ１６に記録可能な空き容量が必要であり、これを残記録容量と称する。また、複数のチューナを備えることで同時間帯に複数の番組を記録することが可能であり、記録可能な番組数を同時記録可能数と称する。また、各記録モードごとに記録時のビットレートは異なっており、ビットレートが高いほど、高画質で記録可能である。そして、記録した番組の記録モードごとに平均ビットレートを記録するようにしている。平均ビットレートはＤＶＤレコーダ１の記録履歴から求めた平均値または、記録モード毎に妥当な値を固定値で記録してある。
【００１９】
ＨＤＤレコーダ１に備えてあるハードディスクドライブ１６には、現在の残記録容量、同時間帯で記録可能な同時記録可能数、各記録モードの平均ビットレートを記録するコンテンツ管理部１６ａと、ユーザが録画予約を設定した予約リストの情報を記録する予約リスト管理部１６ｂが構築してある。操作キー、ボタンを備えた操作部１２からのユーザ操作、あるいはリモートコントロール装置２からのネットワークインタフェース部１４を介したユーザ操作より、ＨＤＤレコーダ１内の各部を制御するマイクロコンピュータ１３は、所定の処理を実行する。メモリ１５には、例えば書換え可能なＲＡＭ（Random Access Memory）を用いて、一時的にデータを保存する。また、メモリ１５には、例えば読出しのみ可能なＲＯＭ（Read Only Memory）を用いてあり、処理プログラム、パラメータ、操作キーに対応するコード等が記憶してある。マイクロコンピュータ１３は、メモリ１５より処理プログラム等を読出し、実行し、実行結果を液晶ディスプレイパネルを備えた表示部１１に表示したり、図示しないテレビジョン受像機に画面表示させるため外部インタフェース部１７に映像信号、あるいはハードディスクドライブ１６に記録した番組をデコードし、映像・音声信号を出力したりする。
【００２０】
リモートコントロール装置２は、ＨＤＤレコーダ１に対して所定の制御信号を伝送することでＨＤＤレコーダ１を遠隔操作可能である。操作部２２内の各キーから入力されたキーコードは、リモートコントロール装置２の内部制御を行なうマイクロコンピュータ２３に供給される。メモリ２５には、例えば、書換え可能なＲＡＭを用いて、一時的にデータを保存する。また、メモリ２５には、例えば、読出しのみ可能なＲＯＭを用いて、処理プログラム、パラメータ、操作キーに対応するコード等が記憶してある。マイクロコンピュータ２３は、メモリ２５より処理プログラム等を読出し、実行し、ネットワークインタフェース部２４に所定のリモートコントロール信号を供給する。また、ネットワークインタフェース部２４では、ＨＤＤレコーダ１とＥＰＧサーバ５からの受信信号を復調処理して、マイクロコンピュータ２３に供給する。マイクロコンピュータ２３は、ＨＤＤレコーダから各種の録画予約情報を受信し、液晶ディスプレイパネルで表示可能な表示部２１に後述する番組表を表示するよう制御する。
【００２１】
ルータ３は、内部ＬＡＮと外部インターネット４との中継機能を有しており、リモートコントロール装置２からの番組情報リクエストをＥＰＧサーバ５に送出するとともに、ＥＰＧサーバ５から応答された番組情報をリモートコントロール装置２で取得するようにする。
【００２２】
ＥＰＧサーバ５は、インターネット４を通じてリモートコントロール装置２から接続し、番組表を取得することができる。ＥＰＧサーバ５には、インターネットとＥＰＧサーバ５のインタフェースとして機能するネットワークインタフェース部５２より、ランダムアクセル可能なハードディスクドライブ５３に接続する。ハードディスクドライブ５３には、番組情報を管理する番組情報管理部５３ａが構築してある。各部の処理を制御するＣＰＵ５１は、リモートコントロール装置２からの番組情報の要求に対して番組情報をデータベース５３ａから取得し、ネットワークインタフェース部５２からインターネット４とルータ３を経てリモートコントロール装置２に提供する
【００２３】
次に、本例の番組予約システム１００の機能上から見た構成例について、図２を参照して説明する。
【００２４】
まず、ＨＤＤレコーダ１の現在の残容量、記録モード毎の平均録画ビットレート情報、同時記録可能数等を記録パラメータリストと称し、この記録パラメータリストをＨＤＤレコーダ１から取得する。今、リモートコントロール装置２の表示部２１の表示を番組表表示画面に切り替える。このとき、記録パラメータリストと後述する予約リストと番組情報から記録可否判定を行う記録可否判定部２３ｂから記録パラメータのリクエストコマンドを作成するパラメータ取得部２３ａに記録パラメータのリクエストを送出する。パラメータ取得部２３ａは、所定の形式で記録パラメータのリクエストコマンドを作成し、ネットワークインタフェース部１４を経由してＨＤＤレコーダ１に、記録パラメータのリクエストを送出する。
【００２５】
ＨＤＤレコーダ１では、ネットワークインタフェース部２４を経由して、コンテンツ管理部１６ａから管理情報を取得するパラメータ取得部１３ａがリクエストコマンドを受信する。そして、コンテンツ管理部１６ａから、現在の残記録容量、同時記録可能数、各記録モードの平均ビットレート等の記録パラメータを取得する。なお、平均ビットレートは過去にＤＶＤレコーダ１の記録履歴から求めた平均値でも良いし、記録モード毎に妥当な値を固定値で返しても良い。本例のＨＤＤレコーダ１では、対応可能な記録モードはコーデックや解像度の違いにより決められた「高画質（ＨＱ：High Quality）」、「標準（ＳＰ：Standard Play）」、「長時間（ＬＰ：Long Play）」の３通りとしている。パラメータ取得部１３ａは取得した各記録パラメータを基に、リモートコントロール装置２からのリクエストコマンドの応答メッセージを作成する。そして、ネットワークインタフェース部２４を経由してリモートコントロール装置２に記録パラメータリストの応答メッセージを送出する。
【００２６】
リモートコントロール装置２では、記録パラメータリクエストの応答メッセージをネットワークインタフェース部１４を経由してパラメータ取得部２３ａが受信する。そして、パラメータ取得部２３ａでは各記録パラメータに分割して記録可否判定部２３ｂに送る。
【００２７】
ここで、ＨＤＤレコーダ１に既に予約登録済みの番組の予定録画時間、記録モード等の予約情報等を予約リストと称し、この予約リストをＨＤＤレコーダ１から取得する。記録可否判定部２３ｂから予約リストのリクエストコマンドを作成するパラメータ取得部２３ａに予約リストのリクエストを送出する。パラメータ取得部２３ａは、所定の形式で予約リストのリクエストコマンドを作成し、ネットワークインタフェース部１４を経由してＨＤＤレコーダ１に、予約リストのリクエストを送出する。
【００２８】
ＨＤＤレコーダ１ではネットワークインタフェース部２４を経由し、パラメータ取得部１３ａがリクエストコマンドを受信する。そして、予約リスト管理部１６ｂから、登録されている予約リストの、各予約の予約日、開始時間、終了時間、チャンネル、記録モードを取得する。パラメータ取得部１３ａは取得した予約リストを基に、リモートコントロール装置２からのリクエストコマンドの応答メッセージを作成する。そして、ネットワークインタフェース部２４を経由してリモートコントロール装置２に予約リストの応答メッセージを送出する。
【００２９】
リモートコントロール装置２では、予約リストリクエストの応答メッセージをネットワークインタフェース部１４を経由してパラメータ取得部２３ａが受信する。そして、パラメータ取得部２３ａでは各予約情報に分割して記録可否判定部２３ｂに送出する。
【００３０】
記録可否判定部２３ｂは、受信した記録パラメータリストと予約リストを基にして、全ての予約が実行された場合の残記録容量の計算を行う。
【００３１】
そして、ＥＰＧサーバ５に放送する番組の放送局、放送時間帯、番組内容等を番組情報と称し、この番組情報をＥＰＧサーバ５より取得する。リモートコントロール装置２では、記録可否判定部２３ｂから番組情報のリクエストコマンドを作成する番組情報取得部２３ｃに番組情報のリクエストを送出する。番組情報取得部２３ｃは、所定の形式で番組情報のリクエストコマンドを作成し、ネットワークインタフェース部１４からルータ３とインターネット４を経由してＥＰＧサーバ５に番組情報のリクエストを送出する。ＥＰＧサーバ５では、ネットワークインタフェース部５２を経由して、番組情報管理部５３ａがリクエストコマンドを受信する。そして、番組情報管理部５３ａに登録されている番組情報を取得する。この番組情報を基に、リモートコントロール装置２からのリクエストコマンドの応答メッセージを作成する。そして、ネットワークインタフェース部５２からインターネット４とルータ３を経由してリモートコントロール装置２にリクエストコマンドの応答メッセージを送出する。
【００３２】
リモートコントロール装置２では、番組表情報リクエストの応答メッセージをネットワークインタフェース部１４を経由して番組情報取得部２３ｃが受信する。そして、各番組情報に分割して記録可否判定部２３ｂに送出する。
【００３３】
記録可否判定部２３ｂは取得した記録パラメータ、予約リスト、番組情報を基に、同時間帯に予約があり、追加予約が不可能な番組を特定し、記録装置の残容量を考慮して予約が不可能な番組を特定する。さらに、予約可能な番組については最も高画質で予約が可能な番組の特定を行う。そして、表示部２１に番組毎に色分けされた表示情報を伝え、番組表として表示部２１に表示する。
【００３４】
次に、番組情報を取得し、リモートコントロール装置２に各番組の録画可否や録画可能な記録モードを番組一覧画面に表示する処理について、図３を参照して説明する。図３は、リモートコントロール装置２の表示部２１に番組表を表示する処理の例を示したシーケンス図である。
【００３５】
まず、リモートコントロール装置２に番組表を表示するために、番組表表示画面に切り替えると、リモートコントロール装置２からＨＤＤレコーダ１に記録パラメータの要求を行う（ステップＳＴ１）。ＨＤＤレコーダ１はリクエストに従い、現在の残容量、対応可能な記録モード毎の平均録画ビットレート情報、同時記録可能数等の記録パラメータをレスポンスで返す（ステップＳＴ２）。
【００３６】
次に、リモートコントロール装置２から予約リストのリクエストを送る（ステップＳＴ３）。ＨＤＤレコーダ１はその要求に従い、既に予約登録されている番組の予約リストから予約日、録画開始時間、録画終了時間、録画モードをレスポンス応答する（ステップＳＴ４）。次にリモートコントロール装置２では受信した予約リストの情報を基に、以下の計算式より、現在登録されている全ての予約を実行後の記録装置の残容量を計算する（ステップＳＴ５）。
各予約番組の必要記録容量＝（記録モードの平均ビットレート）×（記録時間）
残容量＝（現在の残容量）−（各予約番組の必要記録容量の総和）
【００３７】
次に、リモートコントロール装置２からＥＰＧサーバ５に番組情報のリクエストを送る（ステップＳＴ６）。ＥＰＧサーバ５はそのリクエストに従い、番組情報を応答する（ステップＳＴ７）。次に、ＨＤＤレコーダ１から取得した同時記録可能数、予約リスト、ＥＰＧサーバ５から取得した番組情報を基に、追加予約登録が不可能な番組を特定する（ステップＳＴ８）。本例のＨＤＤレコーダ１は、同時間帯に複数の番組を記録することが可能であり、録画予約の登録には同時記録可能数について判定する必要がある。
【００３８】
ここで、追加予約登録が不可能な時間帯の特定には、
（１）同時記録可能数が１の場合（複数同時記録が不可能な場合）
予約リストに登録されている全ての時間帯を追加予約設定不可能な時間帯とする。
（２）同時記録可能数が２以上の場合
予約リストに登録済みの予約の中で重なる時間帯に登録されている予約を抽出し、その数が同時記録可能数と同じ時間帯を追加予約設定不可能な時間帯とする。
の２つの場合がある。
そして、追加予約設定が不可能な番組の特定は、
（３）上記（１），（２）で特定した時間帯に重なる番組とする。
【００３９】
次に、番組情報の放送時間を取得し、必要記録容量の計算例に従って各番組の必要記録容量を計算の上、記録可能な中で最も高画質な記録モードを特定する。また、全ての記録モードで残容量が足りない番組については予約設定不可と判定する（ステップＳＴ９）。ここで、毎日または毎週に定時予約をしている場合、所定の期間内（例えば、２週間分）で必要記録容量を計算する。
【００４０】
記録モードが「高画質」、「標準」、「長時間」の場合における必要記録容量の計算例
・各記録モードにおける必要記録容量の計算例
高画質モード時の必要記録容量＝（高画質モードの平均ビットレート）×（放送時間）
標準モード時の必要記録容量＝（標準モードの平均ビットレート）×（放送時間）
長時間モード時の必要記録容量＝（長時間モードの平均ビットレート）×（放送時間）
【００４１】
・記録可能な中で最も高画質な記録モードの特定
（１）計算した各モード時の必要記録容量の内、ステップＳＴ５で計算した残容量より大きい記録モードを除外する。このとき、全ての記録モードにおいて、残容量より大きい値の場合は当該番組を記録不可と判定する。
（２）一方、ステップＳＴ５で計算した残容量より、記録可能な記録モードがある場合、上記で除外した中で最も高画質なモードを特定する。
【００４２】
次に、前記判定した結果に基づき、重複予約が不可能なために予約が出来ない番組、記録装置の残容量が足りないために予約が出来ない番組を色分けし、予約が可能な番組については最も高画質に記録できるモードを色分けして番組表に表示する（ステップＳＴ１０）。
【００４３】
次に、番組表を用いて番組の予約を行った場合に、画面の表示遷移例について、図４を参照して説明する。本例の番組表は、リモートコントロール装置２の表示部２１に表示され、判定結果を番組表に色分けして表示しており、ユーザは番組表画面を見ながら所望の番組を予約することができる。図４（ａ）は、予約登録前の番組表の表示例である。図４（ｂ）は、予約登録後の番組表の表示例である。番組表の縦軸は番組が放送される時間を示し、横軸は番組のチャンネル番号と放送局名を示す。
【００４４】
そして、判定結果に基づき、各番組を色分けして番組表に表示する。今、ＨＤＤレコーダ１の記録可能容量によって、番組の時間長ごとに記録モードが異なってくる。本例では、高画質モードで録画可能な時間を３０分、標準モードで録画可能な時間を６０分、長時間モードで録画可能な時間を９０分だけＨＤＤレコーダ１に記録可能容量が残っているとする。このとき、以下のように番組は色分けされる。
・記録装置の残記録容量が足りず、予約が不可能な番組（番組Ｐ１）
・既に同じ時間帯に予約があり、同時間帯の重複予約可能数が足りないために予約が不可能な番組（番組Ｐ３）
・高画質、標準、長時間モードのいずれの記録モードでも予約が可能な番組（番組Ｐ４，Ｐ６）
・標準，長時間モードのいずれかの記録モードで予約が可能な番組（番組Ｐ５）
・長時間モードで予約が可能な番組（番組Ｐ２）
【００４５】
ここで、図４（ａ）において、△△テレビの番組Ｐ６を録画予約を登録した場合を想定する。この場合、高画質モードで録画可能な時間を０分、標準モードで録画可能な時間を３０分、長時間モードで録画可能な時間を６０分だけＨＤＤレコーダ１に記録可能容量が残っているとする。録画予約を登録した結果、図４（ａ）から図４（ｂ）に番組表の色分け表示が遷移する。番組Ｐ２は、９０分番組であるため、録画長時間モードでも録画不可能となる。そして、○○テレビの９時半〜１１時半までの４つの番組Ｐ４は、３０分番組であるため、高画質モードで録画不可能となり、標準モードで録画可能となる。また、番組Ｐ５は、６０分番組であるため、標準モードで録画不可能となり、長時間モードで録画可能となる。既に録画不可能な番組Ｐ１、予約設定ができない番組Ｐ３については、色は変化しない。なお、番組表の表示に際して、基本的には一番高画質で録画可能な記録モードを設定するものである。
【００４６】
このように、番組表を色分け表示することで、ユーザは番組の予約録画の可否、予約録画が可能である場合は、どの記録モードで録画を行えるかを一目で把握することが出来るようになった。
【００４７】
本発明の実施の形態によれば、番組情報を使い電子番組表としてこれから放送される番組を表示し、その番組表で番組を選択する事で内蔵または外部接続された記録装置に録画や録音の予約を行うことが可能である。このため、ＨＤＤレコーダ１の残記録容量が足りず予約が出来ない場合に、番組表を表示した時点で予約が出来ない番組を視覚的に確認する事ができる。このため、録画予約設定操作を行ってから判明する場合と比べて効率的な判断が行えるという効果がある。
【００４８】
また、記録装置の残記録容量が残り少ない場合に、記録が可能な記録モードを視覚的に確認する事ができる。このため、予約登録前に番組を記録可能な記録モードを設定することができ、記録モードを変えながら録画予約設定操作を繰り返して確認する場合と比べて効率的な判断が行え、さらに、記録を行っている最中に記録が中断してしまうことで記録が行えなくなる可能性を減少させるという効果がある。
【００４９】
また、予約登録が既に行われており同じ時間帯に別の予約を行えない場合であっても、番組表で視覚的に確認する事ができる。このため、予約登録の操作を行う前に予約可否を判断することができるため、不要な操作を行わなくてもよいという効果がある。
【００５０】
なお、上述した実施の形態によれば、ネットワーク経由で通信を行う機能を持つＨＤＤレコーダ１と、ネットワーク経由で番組情報の取得を行い、制御対象機器から取得した予約リストや予約パラメータに従って番組表を表示する事が可能なリモートコントロール装置２について説明したが、これに限定するものではない。リモートコントロール装置として例えば、携帯電話端末、ＰＤＡ（Personal Digital(Data) Assistants）、コンピュータ装置等を用いても上述した実施の形態と同様の効果が得られる。
【００５１】
また、番組表に表示させた番組は、録画可能な記録モード、予約設定に対応して色分け表示させるようにしたが、番組名の先頭に記録モード、録画可否等のガイダンスメッセージ、または所定の識別子としてのマークを表示させるようにしてもよい。図５は、番組名の先頭に録画情報を表示させた番組表の表示例である。この場合、番組ごとに色分け表示を行わず、番組名の先頭に、例えば、「ＨＱ」、「ＳＰ」、「ＬＰ」、「別の予約あり」、「予約済」、「録画不可」等と記載する。このようにすることで、録画予約をしたい番組選択において、上述した実施の形態と同様の効果が得られる。
【００５２】
また、図３のステップＳＴ５では、リモートコントロール装置２で残記録容量の計算を行うようにしたが、ＨＤＤレコーダ１で残記録容量の計算を行い、計算結果をリモートコントロール装置２に渡すようにしてもよい。また、図３のステップＳＴ８，９では、リモートコントロール装置２で予約設定が不可能な番組を特定するようにしたが、番組の放送開始時間、放送終了時間をＨＤＤレコーダ１に送るか、ＨＤＤレコーダ１が番組情報を取得することにより、ＨＤＤレコーダ１で予約設定が不可能な番組を特定し、その結果をリモートコントロール装置２に渡すようにしてもよい。また、図３のステップＳＴ５では、現在登録されている全ての予約が実行された場合の残容量を基に各記録モードにおける録画可否を判定しているが、この値を使わずに現在の残容量を基に計算するようにしてもよい。こうすることで、計算処理を短縮することができ、リモートコントロール装置２の処理負荷が軽減されるという効果がある。
【００５３】
また、リモートコントロール装置２の機能がＨＤＤレコーダ１に内蔵され、ＨＤＤレコーダ１が番組情報を取得し、ＨＤＤレコーダ１のユーザ・インタフェース（ＵＩ：User Interface）画面に番組表を表示するようにしてもよい。あるいは、ＨＤＤレコーダ１の外部インタフェース部１７に接続したテレビジョン受像機等の外部表示装置に番組表を表示させ、リモートコントロール装置２で予約設定するようにしてもよい。
【００５４】
また、番組情報はサービス・インフォメーション情報等のネットワーク経由以外の方法で取得した情報を基にしても良い。例えば、放送波を受信し、番組情報を記録するようにすることで、インターネット接続してＥＰＧサーバに接続しなくても番組の録画予約を行うことが可能となる。また、セットトップボックスが受信した番組情報をリモートコントロール装置やＨＤＤレコーダが接続されたＬＡＮで共有するようにしてもよい。このとき、ＨＤＤレコーダがＥＰＧ情報を保有し、ＨＤＤレコーダからリモートコントロール装置が番組表を取得することも可能となる。
【００５５】
また、上述した実施の形態では、テレビジョン放送の録画予約について説明したが、ラジオ放送やインターネット番組の記録に用いるようにしてもよい。事前に受信可能な番組の長さが分かれば必要記録容量と残容量を比較することができ、適切な記録予約を行うことができる。
【００５６】
また、上述した実施の形態では、ＨＤＤレコーダを用いるようにしたが、ＨＤＤレコーダに限定されることなく、同様の記録機能を有する装置に適用してもよい。この場合、記録媒体についてもハードディスクドライブ以外に、例えば不揮発性のメモリ、光ディスク、磁気ディスク、磁気テープ等に記録するようにしてもよい。
【００５７】
また、上述した実施の形態では、ネットワーク回線６を有線としており、ＨＤＤレコーダ１とリモートコントロール装置２とルータ３とを有線接続として説明したが、無線ＬＡＮ回線等の情報を相互に通信可能であれば、伝送手段の種別は特定しない。
【００５８】
また、上述した実施の形態で追加予約設定不可能とした番組に関して、予約は可能だが実行時に記録できない部分がある旨を表示するようにしてもよい。さらに、予約リストに登録されている予約のいずれかに重なる時間帯の番組において、番組の放送時間の一部が重なる場合は実行時に記録できない部分がある旨を表示し、番組の放送時間の全てが重なる場合は予約は行えるが記録不可という事が分かるように区別して表示するようにしてもよい。このように記録不可であっても予約可能としておくことで、重複登録されている予約を削除したり、番組の放送時間が変更になった場合には録画可能となり、ユーザにとって利便性を高めることができる。
【図面の簡単な説明】
【００５９】
【図１】本発明の一実施の形態における番組予約システムの内部構成例を示したブロック図である。
【図２】本発明の一実施の形態における番組予約システムの機能構成例を示したブロック図である。
【図３】本発明の一実施の形態における番組表の表示処理例を示したシーケンス図である。
【図４】本発明の一実施の形態における番組表の表示遷移例を示した説明図である。
【図５】本発明の一実施の形態における番組表の変形例を示した説明図である。
【符号の説明】
【００６０】
１…ＨＤＤレコーダ、２…リモートコントロール装置、３…ルータ、４…インターネット、５…ＥＰＧサーバ、１１…表示部、１２…操作部、１３…マイクロコンピュータ、１４…ネットワークインタフェース部、１５…メモリ、１６…ハードディスクドライブ、１６ａ…コンテンツ管理部、１６ｂ…予約リスト管理部、１７…外部インタフェース部、２１…表示部、２２…操作部、２３…マイクロコンピュータ、２４…ネットワークインタフェース部、２５…メモリ、５１…ＣＰＵ、５２…ネットワークインタフェース部、５３…ハードディスクドライブ、５３ａ…番組情報管理部、Ｐ１〜Ｐ６…番組
【図１】
2007124534.tif 000003
【図２】
2007124534.tif 000004
【図３】
2007124534.tif 000005
【図４】
2007124534.tif 000006
【図５】
2007124534.tif 000007